(57)【要約】【課題】  構造が簡単で材料の歩留りがよく、反射板へのランプホルダの取付けがきわめて容易な照明器具を提供する。【解決手段】  ランプＬと、このランプＬの背面に設けられる反射板１と、基部１１とばね部１２ａ，１２ｂからなり反射板１に取付けられてランプＬを保持するランプホルダ１０とを有し、反射板１のランプＬ側に切り起こしたのち反射板１の上面とほぼ平行に折曲げた係合片４を有する係合部２を設け、係合片４及びランプホルダ１０の基部１１のいずれか一方に係合突部５を設けると共に、他方にこの係合突部に係止する係止穴１３を設けた。【選択図】      図１
2005268027.tif 000002
【特許請求の範囲】
【請求項１】
ランプと、該ランプの背面に設けられる反射板と、基部とばね部からなり前記反射板に取付けられて前記ランプを保持するランプホルダとを有し、
前記反射板のランプ側に切り起こしたのち該反射板の上面とほぼ平行に折曲げた係合片を有する係合部を設け、前記係合片及びランプホルダの基部のいずれか一方に係合突部を設けると共に、他方に該係合突部に係止する係止部を設けたことを特徴とする照明器具。
【請求項２】
前記反射板に設けた係合部の係合片の下面と前記反射板の上面との間のすき間を、前記ランプホルダの基部の板厚とほぼ等しく形成したことを特徴とする請求項１記載の照明器具。
【請求項３】
前記ランプホルダの基部の両側に設けたばね部の立上り部の間隔を、前記反射板に設けた係合部の係合片の幅より若干大きく形成したことを特徴とする請求項１又は２記載の照明器具。
【発明の詳細な説明】
【技術分野】
【０００１】
本発明は照明器具に係り、より詳しくは、照明器具の反射板及びこれに取付けるランプホルダに関するものである。
【背景技術】
【０００２】
従来のこの種の照明器具に、直管状又は円管状のランプと、このランプの背面に設けられる反射板と、反射板に固着されてランプを反射板に取付ける取付バネとを有し、取付バネはランプを把持するバネ部の基端にそのバネ部と直交方向に交差する固定片を設け、反射板には固定片が係合される断面ほぼＵ字状に湾曲した係合部を対向して設けると共に、両係合部の間に係合部にそれぞれ近接して開口部を設けたものがある（例えば、特許文献１参照）。
【特許文献１】特開２０００−２１５７２７号（第２−３頁、図１−３）
【発明の開示】
【発明が解決しようとする課題】
【０００３】
特許文献１の取付バネ（ランプホルダ）は、ランプを把持するバネ部とその基部にバネ部と直交方向に交差する固定片を設け、また、反射板には対向する一対の係合部とその間に一対の開口部とをそれぞれ設けなければならないので、構造が複雑で製造が面倒であり、特にランプホルダは材料の歩留りが悪いという問題がある。
また、ランプホルダを反射板に取付けるにあたっては、反射板の一方の開口部から固定片の一端を挿入したのちスライドさせ、固定片の両端部を係合部に挿入しなければならないので、取付作業がきわめて面倒である。
【０００４】
本発明は、上記の課題を解決するためになされたもので、構造が簡単で材料の歩留りがよく、反射板へのランプホルダの取付けがきわめて容易な照明器具を提供することを目的としたものである。
【課題を解決するための手段】
【０００５】
本発明に係る照明器具は、ランプと該ランプの背面に設けられる反射板と、基部とばね部からなり前記反射板に取付けて前記ランプを保持するランプホルダとを有し、前記反射板のランプ側に切り起こしたのち該反射板の上面とほぼ平行に折曲げた係合片を有する係合部を設け、前記係合片及びランプホルダの基部のいずれか一方に係合突部を設けると共に、他方に該係合突部に係止する係止部を設けたものである。
【発明の効果】
【０００６】
本発明によれば、構造が簡単で材料の歩留りがよく、反射板へのランプホルダの取付がきわめて容易で、作業性を向上することができる。
【発明を実施するための最良の形態】
【０００７】
図１は本発明の一実施の形態に係る照明器具の反射板とランプホルダを示す説明図である。
本発明に係る照明装置は、直管状（又は曲管状）のランプＬの背面側に設けられる反射板１と、この反射板１に固定されてランプＬを保持するランプホルダ１０とを備えている。
【０００８】
反射板１は、図２に示すように、切り起こしにより上面側（ランプＬの取付側）に折曲げて縦壁３を形成したのち、長手方向に反射板１の上面とほぼ平行に折曲げて係合片４を形成した係合部２が設けられており、係合片４の下面（ランプＬの取付側と反対側）のほぼ中央部には係合突部５が突設されている。この場合、係合部２の係合片４の自由端側（開口部側）が、照明器具に設けたランプソケット（図示せず）と反対側に位置するように形成するこどか望ましい。
【０００９】
ランプホルダ１０は、図３に示すように、弾性を有する金属片を曲げ加工して形成したもので、ほぼ平坦な基部１１と、基部１１の両側からほぼ垂直に立ち上ったのち、それぞれ離れる方向にランプＬの外形とほぼ同じ形状で円弧状に湾曲され、上端部が外側に折曲げられてカールされた一対のばね部１２ａ，１２ｂとからなり、基部１１のほぼ中央部には係止部を形成する係止穴１３が設けられている。
【００１０】
ランプホルダ１０は、図３の形状のもの以外にも、例えば図４（ａ）に示すように、弾性を有する金属片を曲げ加工して、基部１１の両側からほぼ垂直に立上ったのち離れる方向にく字状に折曲げて上端部を外方に折曲げた一対のばね部１２ａ，１２ｃとからなるものがある。また、図４（ｂ）に示すように、合成樹脂を成形加工して、基部１１の両側から立上ったのち互いに離れる方向に折曲げられ、その両端部を再び上方にほぼ垂直に折曲げて上端部よりやや下方の内側にほぼ水平にリブを突設してランプ保持部１４を形成したもの、あるいは、板金を上記のように曲げ加工して上端部を内側下方に折曲げたのち、互いに近づく方向に水平に折曲げてリブを形成したランプ保持部１４を有するものなどがあり、いずれにしても、平坦な基部とその両側に立ち上り部を有するランプホルダであれば、基部に係止穴を設けることにより本発明に使用することができる。
【００１１】
上記のように構成した反射板１の係合部２において、反射板１の上面と係合片４の下面との間に形成されたすき間ｔは、ランプホルダ１０の基部１１の板厚ｔ1とほぼ等しく形成されており、また係合片４の幅Ｗは、ランプホルダ１０のばね部１２ａ，１２ｂの立上り部の内のり幅Ｗ1より若干狭く形成されている。換言すれば、ばね部１２ａ，１２ｂの立上り部の幅Ｗ1を、係合部４の幅Ｗより若干大きく形成する。
【００１２】
また、係合部２の係合片４に設けた係合突部５は、図には係合片４の自由端側から縦壁３に向って徐々に下降する傾斜面により、断面三角形状に形成した場合を示したが、これに限定するものではなく、三ヵ月形、円形、四角形等、適宜の形状であってもよい。
また、ランプホルダ１０の基部１１に係止部である四角形の係止穴１３を設けた場合を示したが、係止穴１３の形状は、反射板１の係合部２に設けた係合突部５の形状に対応した（係止しうる）形状であればよく、さらに穴に代えて、例えば切り起こしにより基部１１の上面側に係止突片を設ける等、適宜変更することができる。
【００１３】
次に、上記のように構成した反射板１にランプホルダ１０を取付ける手順について説明する。
先ず、図５（ａ）に示すように、ランプホルダ１０を反射板１の係合部２の係合片４の自由端側（開口部側）に位置させ、その基部１１を反射板１の上面に沿って矢印方向にスライドさせる。そして、図５（ｂ）に示すように、ランプホルダ１０の基部１１を係合部２の係合片４の自由端側から反射板１の上面と係合片４との間に挿入し、さらにランプホルダ１０を矢印方向に押し込む。
【００１４】
これにより、基部１１は係合片４の係合突部５に当って係合片４を僅かに上方に弾性変形させつつ前進し、係合突部５が係止穴１３に嵌合すると係合片４は元の状態に戻り、図５（ｃ）に示すように、係止穴１３の縁部が係合突部５の縦壁３側に係止し、ランプホルダ１０は所定の位置に位置決めされ、かつその位置に固定される。この場合、係止穴１３が係合突部５に係止した状態で、基部１１の端部が係合部２の縦壁３に当接するように、係合突部５又は係止穴１３の位置を設定することが望ましい。
【００１５】
上記の説明では、円弧状断面の反射板１に本発明を実施した場合を示したが、反射板１の形状はこれに限定するものではなく、平板状や台形断面等、他の形状の反射板にも本発明を実施することができる。
また、反射板１に設けた係合部２の係合片４に係合突部５を設け、ランプホルダ１０の基部１１に係止部である係止穴１３を設けた場合を示したが、係合部２の係合片４に係止部を、ランプホルダ１０の基部１１に係合突部を設けてもよい。
【００１６】
本発明によれば、構造が簡単で、ランプホルダ１０の材料の歩留りがよく、また、反射板１へのランプホルダ１０の取付けにあたっては、ねじやリベット等の別部品を必要とせず、取付けのための特別な工具も不要であり、ランプホルダ１０の基部１１を反射板１の係合部２に押し込むだけでよいのできわめて簡単であり、作業性を大幅に向上することができる。
【００１７】
また、反射板１へのランプホルダ１０の取付けにあたっては、係止穴１３が係合突部５に係止し、ランプホルダ１０の両側に設けた立上り部で係合片４を挾持するため、ランプホルダ１０が脱落したり回転したりすることなく、所定の位置に確実に取付けることができる。
【図面の簡単な説明】
【００１８】
【図１】本発明の一実施の形態に係る照明器具の反射板とランプホルダを示す説明図である。
【図２】図１の反射板に設けた係合部の斜視図である。
【図３】図１のランプホルダの斜視図である。
【図４】ランプホルダの他の例の説明図である。
【図５】反射板へのランプホルダの取付手順を示す説明図である。
【符号の説明】
【００１９】
１  反射板、２  係合部、３  縦壁、４  係合片、５  係合突部、１０  ランプホルダ、１１  基部、１２ａ，１２ｂ  ばね部、１３  係止穴（係止部）。
【図１】
2005268027.tif 000003
【図２】
2005268027.tif 000004
【図３】
2005268027.tif 000005
【図４】
2005268027.tif 000006
【図５】
2005268027.tif 000007